(57)【要約】【課題】  走行車両の荷重がかかる場合であっても、地下構造物用蓋の沈下を防止する事のできる沈下防止部材と、これを用いた地下構造物用蓋の沈下防止ユニットを提供する。【解決手段】  地下構造物収容空間を閉塞する為の地下構造物用蓋を支持する沈下防止部材であって、筒状部と当該筒状部の一端開口側に設けられた外向きフランジ部とからなり、当該外向きフランジ部には、その縁部に凹凸が形成されるか、または当該フランジ部にその厚さ方向に貫通する開口が設けられており、前記筒状部は、その内径が地下構造物収容空間を内部に区画する筒状マス体を内挿する大きさに形成されると共に、その内周面には当該筒状マス体を支持する凸部が設けられている、地下構造物用蓋の沈下防止部材とする。【選択図】図５
0003235323.tif 000002
【実用新案登録請求の範囲】
【請求項１】
地下構造物収容空間を閉塞する為の地下構造物用蓋を支持する沈下防止部材であって、
筒状部と、当該筒状部の一端開口側に設けられた外向きフランジ部とからなり、
当該外向きフランジ部には、その縁部に凹凸が形成されるか、または当該フランジ部にその厚さ方向に貫通する開口が設けられており、
前記筒状部は、その内径が地下構造物収容空間を内部に区画する筒状マス体を内挿する大きさに形成されると共に、その内周面には当該筒状マス体を支持する凸部が設けられている、地下構造物用蓋の沈下防止部材。
【請求項２】
地下構造物収容空間を閉塞する為の地下構造物用蓋の沈下を防止する、地下構造物用蓋の沈下防止ユニットであって、
地下構造物収容空間を内部に区画する筒状マス体と、当該地下構造物収容空間を閉塞する為の地下構造物用蓋と、請求項１に記載の沈下防止部材と、前記筒状マス体に内挿可能な筒状部を備えた筒状マス支持部材とからなり、
当該筒状マス支持部材は軸方向の端部には、外側に突出する突出部が設けられており、当該突出部は前記沈下防止部材の筒状部に内挿可能な大きさに形成されている、地下構造物用蓋の沈下防止ユニット。
【請求項３】
前記地下構造物用蓋は、筒状部を備える枠体と、当該枠体に対して着脱自在に設けられた蓋体とからなり、
前記蓋体の縁部には凸状または凹状に形成された蓋側位置決め部が設けられており、
前記枠体における蓋体の設置箇所には、前記蓋側位置決め部と相補的に嵌合する凹状または凸状に形成された枠側位置決め部が設けられている、請求項２に記載の沈下防止ユニット。
【請求項４】
請求項２又は３に記載の地下構造物用蓋の沈下防止ユニットを設けた井戸であって、
井戸ケーシングが突き出ている穴底に設けられる沈下防止部材と、
当該沈下防止部材の筒状部材に内挿されて、沈下防止部材の凸部に突出部が支持された筒状マス支持部材と、
当該筒状マス支持部材の筒状部に外装されると共に、突出部に支持された筒状マス体と、
当該筒状マス体の上部に内挿される筒状部を備えた地下構造物用蓋を備える井戸。
【請求項５】
請求項２又は３に記載の地下構造物用蓋の沈下防止ユニットを設けた井戸であって、
井戸ケーシングが突き出ている穴底に、当該井戸ケーシングを筒状部内に内挿して設けられる筒状マス支持部材と、
当該筒状マス支持部材の筒状部に外装して設けられる井戸ケーシングと、
当該井戸ケーシングの上端に、当該井戸ケーシングの上端を筒状内に内挿して載置される沈下防止部材と、
当該沈下防止部材の内側に突出する凸部間に内挿される筒状部を備えた地下構造物用蓋を備える井戸。
【考案の詳細な説明】
【技術分野】
【０００１】
本考案は井戸を始めとする地下構造物の設置領域を閉塞する為の「蓋」の沈下を防止するための沈下防止部材と、これを用いた地下構造物用蓋の沈下防止ユニットに関する。特に、設置後における上からの圧力によっても地下構造物用蓋が沈下しないようにするための沈下防止部材と、これを用いた地下構造物用蓋の沈下防止ユニットに関する。
【背景技術】
【０００２】
地下水、温泉、石油、天然ガス、地熱などの地下資源を採取したり、これら地下資源を調査・観測等するために様々な井戸が設けられている。かかる井戸には、用水としての地下水を得るため井戸の他、地下水調査用の観測井、地下水を人工涵養する涵養井、工場廃水などを地下処理する注入井などがある。特に観測井は、井戸水を利用する場合における供給能力や周囲環境への影響等を把握するため、或いは工事域周辺における薬液注入工事に伴う地下水汚染や土壌汚染を未然に防止することを目的とした水質分析を行なうための地下水を採取するために設けられる。
【０００３】
そしてこれらの井戸においては、常には井戸穴を閉じておくための井戸蓋が設けられることもある。例えば特許文献１（実公昭５０−３４５２１号公報）では、地盤沈下地帯に設置する井戸であっても、地盤沈下の影響を受けず安全に利用することができる井戸として、井管の頭部に蓋管を被嵌し、この蓋管の蓋板に下方の吸水管に連通する送水管を取付け、蓋管の外側一部をピットのコンクリ─トに固着して成る井戸を提案している。
【０００４】
また、前記井戸設備の他にも、下水道や上水道、あるいは電力、ガス、通信等における地下埋設物や地下施設等の地下構造物を地上に出現させる箇所には、地下構造物につながる開口を画定する受枠が設けられ、この受枠に支持されることで開口を塞ぐ地下構造物用蓋が設けられる。
【０００５】
例えば、特許文献２（特開２０００−３８７３４号公報）では、地下構造物の蓋受け枠装置における上枠の沈下、上下両枠の重なり代不足のような問題点の発生を防止し、強固な結合状態を恒久的に維持することを目的として、蓋受け枠体と支持枠体との間にスペーサ手段を介在させ、そのスペーサ手段を構成する複数個のスペーサ部材の間、若しくはスペーサ手段と蓋受け枠体または支持枠体との間に、スペーサ部材及び枠体の構成材料に対して柔軟な素材より成る薄片状の緩衝材を挾在させた地下構造物用蓋受枠セットを提案している。
【先行技術文献】
【特許文献】
【０００６】
【特許文献１】実公昭５０−３４５２１号公報
【特許文献２】特開２０００−３８７３４号公報
【考案の概要】
【考案が解決しようとする課題】
【０００７】
上述のとおり、従前において地盤沈下の影響を受けず安全に利用することができる井戸も提案されている。しかしながら前記特許文献１の技術は地盤沈下の問題を解決するものであって、車両走行時の荷重による蓋の沈下の問題を解決するものではない。
【０００８】
また前記特許文献２では地下構造物の蓋受け枠装置における上枠の沈下や、上下両枠の重なり代不足の問題を解決するものではあるが、蓋受け枠体と支持枠体との間にスぺーサ手段を介在させて両者の上下方向の位置関係等を規定し、一体に結合するものであって、設置後における外からの荷重による沈下を阻止するものではない。
【０００９】
そこで本考案では、走行車両などによって荷重がかかる場合であっても、地下構造物用蓋の沈下を防止する事のできる沈下防止部材と、これを用いた地下構造物用蓋の沈下防止ユニットを提供することを第１の課題とする。
【００１０】
また地下構造物は様々な大きさのものが存在し、これを設置又は収容する穴の大きさも様々である。その為に、当該地下構造物の設置領域を閉塞する為の蓋の大きさも様々であり、その沈下を防止するための沈下防止部材も様々な大きさのものを準備しなければならなかった。
【００１１】
そこで本考案では設置位置を変更する事によって、複数の大きさの地下構造物用蓋の沈下を防止する事のできる沈下防止部材と、これを用いた地下構造物用蓋の沈下防止ユニットを提供することを第２の課題とする。
【００１２】
更に、地下構造物用蓋については、開閉を規制する為の鍵を設けることもあるが、着脱自在に設けた地下構造物用蓋においては、当該鍵穴の位置合わせが困難であった。特に、地下構造物用蓋にデッドボルトを設け、これを蓋受けに設けた鍵穴に進退自在に設ける場合には、地下構造物用蓋と蓋受けとにおける位置合わせが困難となる。
【００１３】
そこで本考案では、当該地下構造物用蓋に設けた鍵穴の位置合わせを、簡易かつ確実に行うことができるようにした地下構造物用蓋の沈下防止ユニットを提供することを第３の課題とする。
【課題を解決するための手段】
【００１４】
本考案では、上記課題の少なくとも何れかを解決するべく、観測井を始めとする地下構造物の収容空間を閉塞する地下構造物用蓋の沈下を阻止する為の沈下防止部材と、これを用いた地下構造物用蓋の沈下防止ユニット、並びに当該沈下防止部材を用いた井戸を提供する。
【００１５】
即ち本考案に係る沈下防止部材は、地下構造物収容空間を閉塞する為の地下構造物用蓋を支持する沈下防止部材であって、筒状部と当該筒状部の一端開口側に設けられた外向きフランジ部とからなり、当該外向きフランジ部には、その縁部に凹凸が形成されるか、または当該フランジ部にその厚さ方向に貫通する開口が設けられており、前記筒状部は、その内径が地下構造物収容空間を内部に区画する筒状マス体を内挿する大きさに形成されると共に、その内周面には当該筒状マス体を支持する凸部を設けて構成することができる。
【００１６】
上記「地下構造物用蓋」とは、地下に設けられた何らかの構造物が存在する空間を閉塞する為の蓋であり、例えば、井戸穴を塞ぐための井戸蓋、下水道における地下埋設物、地下構造施設等と地上とを通じる開口部を開閉可能に閉塞するマンホール蓋、大型鉄蓋、汚水桝蓋、雨水排水における雨水桝蓋、電力・通信における地下施設機器や地下ケーブル等を保護する開閉可能な共同溝用鉄蓋、送電用鉄蓋、配電用鉄蓋、上水道やガス配管における路面下の埋設導管およびその付属機器と地上とを結ぶ開閉扉としての機能を有する消火栓蓋、制水弁蓋、仕切弁蓋、空気弁蓋、ガス配管用蓋、量水器蓋等がふくまれ、これらを総称する。
【００１７】
そして本考案に係る沈下防止部材は、当該地下構造物用蓋の沈下を阻止する為に支持する為に機能することができる。かかる地下構造物用蓋の沈下は、当該地下構造物用蓋の上を車両等が走行する等によって荷重が作用することで発生することから、当該沈下防止部材は、直接的に、または他の構造要素を介在させて間接的に地下構造物用蓋を支持するように設ける。
【００１８】
また本考案では前記課題の少なくとも何れかを解決するために、上記沈下防止部材を用いて構成した地下構造物用蓋の沈下防止ユニットを提供する。
【００１９】
即ち、地下構造物収容空間を閉塞する為の地下構造物用蓋の沈下を防止する沈下防止ユニットであって、地下構造物収容空間を内部に区画する筒状マス体と、当該地下構造物収容空間の上部開口を閉塞する為の地下構造物用蓋と、前記本考案に係る沈下防止部材と、前記筒状マス体に内挿可能な筒状部を備えた筒状マス支持部材とからなり、当該筒状マス支持部材は軸方向の端部には、外側に突出する突出部が設けられており、当該突出部は前記沈下防止部材の筒状部に内挿可能な大きさに形成されている、地下構造物用蓋の沈下防止ユニットである。
【００２０】
上記地下構造物用蓋の沈下防止ユニットにおいては、地下構造物用蓋に鍵穴を設けることもでき、その際には当該鍵穴の位置決めを容易に行うことができるように構成することが望ましい。よって本考案では、前記地下構造物用蓋は、筒状部を備える枠体と、当該枠体に対して着脱自在に設けられた蓋体とからなり、前記蓋体の縁部には凸状または凹状に形成された蓋側位置決め部が設けられており、前記枠体における蓋体の設置箇所には、前記蓋側位置決め部と相補的に嵌合する凹状または凸状に形成された枠側位置決め部を設けることができる。
【００２１】
そして上記本考案に係る沈下防止ユニットは、その組み合わせ順序を変更する事によって、少なくとも２種類のサイズの地下構造物収容空間に設置する事ができる。
【００２２】
即ち、井戸ケーシング等の地下構造物収容空間を設ける為に地面に設けた穴の底部（即ち、穴底）に沈下防止部材を設け、この沈下防止部材の筒状部に、前記筒状マス支持部材を内挿すると共に、当該沈下防止部材の凸部で沈下防止部材の突出部を支持する。そして地下構造物収容空間を区画する筒状マス体を前記筒状マス支持部材の筒状部に外装して、当該筒状マス支持部材の突出部で支持する。この筒状マス体の上部に、地下構造物用蓋の筒状部を内挿して設置する事ができる。そして地面を掘削して設けた穴と当該沈下防止ユニットとの間には、モルタルやセメントなどの充填材を注入することができる。このような構成は、地下構造物収容空間を設ける為に地面に設けた穴が、前記沈下防止部材の外径よりも大きい場合に有効である。
【００２３】
一方で、地下構造物収容空間を設ける為に地面に設けた穴が、前記沈下防止部材の外径よりも小さい場合には、前記沈下防止部材の設置位置を変更する事によって設置する事ができる。
【００２４】
即ち、井戸ケーシング等の地下構造物収容空間を設ける為に地面に設けた穴の底部（即ち、穴底）に、筒状マス支持部材を設け、この筒状マス支持部材の筒状部に外挿して井戸ケーシングを設ける。沈下防止部材は、その筒状内に井戸ケーシングの上端を内挿させた状態で載置し、この沈下防止部材の内側に突出する凸部間に、地下構造物用蓋の筒状部を内挿させた状態で設置する。そして地面を掘削して設けた穴と当該沈下防止ユニットとの間には、沈下防止部材の縁部に設けられた凹凸か、または沈下防止部材のフランジ部に設けた厚さ方向に貫通する開口から、モルタルやセメントなどの充填材を注入することができる。特にこのような構成は、地下構造物収容空間、特に地面に設けた穴が、前記沈下防止部材の外径よりも小さい場合に有効である。
【００２５】
以上の通り、本考案に係る沈下防止部材は、地下構造物が突き出ている穴、特に地面に設けた穴の大きさによって、その設置位置を変えることにより設置可能であることから、複数の穴径に対応可能な沈下防止部材、これを用いた地下構造物用蓋の沈下防止ユニット、並びに当該沈下防止部材を用いた井戸を提供することができる。
【考案の効果】
【００２６】
本考案の沈下防止部材は、筒状部と当該筒状部の一端開口側に設けられた外向きフランジ部とからなり、当該外向きフランジ部には、その縁部に凹凸を形成するか、または当該フランジ部にその厚さ方向に貫通する開口を設けていることから、当該凹凸や開口から、地下構造物用蓋の沈下防止ユニットを固定する為のモルタルやセメントなどの充填材を注入することができる。
【００２７】
そして当該沈下防止部材の筒状部は、その内径が地下構造物収容空間を内部に区画する筒状マス体を内挿する大きさに形成されると共に、その内周面には当該筒状マス体を支持する凸部が設けられていることから、当該筒状マス体を確実に支持することができ、また当該筒状マス体によって確実に支持されることができる。
【００２８】
また上記沈下防止部材を含んで構成した沈下防止ユニットは、地下構造物収容空間を内部に区画する筒状マス体と、当該地下構造物収容空間を閉塞する為の地下構造物用蓋と、前記沈下防止部材と、前記筒状マス体に内挿可能な筒状部を備えた筒状マス支持部材とからなり、当該筒状マス支持部材は軸方向の端部には、外側に突出する突出部が設けられており、当該突出部は前記沈下防止部材の筒状部に内挿可能な大きさに形成していることから、前記沈下防止部材との組み合わせによって、様々な大きさの穴に対応して設置する事ができる。
【００２９】
特に、前記地下構造物用蓋を、筒状部を備える枠体と、当該枠体に対して着脱自在に設けられた蓋体とで構成した場合には、前記蓋体の縁部には凸状または凹状に形成された蓋側位置決め部を設け、前記枠体における蓋体の設置箇所には、前記蓋側位置決め部と相補的に嵌合する凹状または凸状に形成された枠側位置決め部を設けることにより、鍵穴の位置決めを簡易かつ確実に行うことができる。
【図面の簡単な説明】
【００３０】
【図１】本実施の形態に係る沈下防止部材を示す（Ａ）平面図、（Ｂ）Ｂ−Ｂ矢視断面図、（Ｃ）Ｃ−Ｃ矢視断面図
【図２】筒状マス支持部材を示す（Ａ）平面図、（Ｂ）Ｂ−Ｂ矢視断面図、（Ｃ）Ｃ−Ｃ矢視断面図
【図３】地下構造物用蓋における蓋体を示す（Ａ）平面図、（Ｂ）背面図、（Ｃ）Ｃ−Ｃ矢視断面図、（Ｄ）Ｄ−Ｄ矢視断面図
【図４】地下構造物用蓋における枠体を示す（Ａ）平面図、（Ｂ）側面図、（Ｃ）Ｃ−Ｃ矢視断面図
【図５】第１の実施の形態に係る沈下防止ユニットの（Ａ）組み合わせを示す分解斜視図、（Ｂ）設置状態を示す縦断面図、（Ｃ）平面図
【図６】第２の実施の形態に係る沈下防止ユニットの（Ａ）組み合わせを示す分解斜視図、（Ｂ）設置状態を示す縦断面図、（Ｃ）平面図
【図７】他の実施の形態に係る沈下防止部材を示す平面図
【考案を実施するための形態】
【００３１】
以下、図面を参照しながら、本実施の形態にかかる地下構造物用蓋３０の沈下防止部材１０と、これを用いた地下構造物用蓋３０の沈下防止ユニット、並びに当該沈下防止部材１０を用いた井戸Ｗを具体的に説明する。
【００３２】
図１に示す様に、この実施の形態に係る沈下防止部材１０は、筒状部１１と当該筒状部１１の一端開口側に設けられた外向きフランジ部１２とからなり、筒状部１１と外向きフランジ部１２の間にはリブ１３を設けて強度を高めている。
【００３３】
前記筒状部１１は、地下構造物収容空間Ｓを内部に区画する筒状マス体４０を内挿可能な内径に形成されており、その軸心長さは設置する地下構造物収容空間Ｓの大きさに応じて任意に調整することができる。この筒状部１１の軸方向一端側には外向きフランジ部１２が形成されており、本実施の形態では円弧状に広がる鍔片１２ａを筒状部１１の周囲に４個配置して構成している。但し当該鍔片１２ａは４個に限定されるものではなく、その他の個数であっても良い。また当該鍔片１２ａは円弧状に広がる形状に限定されるものではなく、矩形などその他の形状であっても良い。本実施の形態に示す様に円弧状に広がる鍔片１２ａを複数設けることにより、各鍔片１２ａが凸部となり、当該鍔片同士の間には凹部１２ｂが出現することになる。その結果、設置時においてモルタルやセメントなどの充填材を注入する為の隙間を確保することができる。かかる外向きフランジ部１２は、地下構造物用蓋３０に作用する荷重を支持することができる面積であれば良く、望ましくはモルタルやセメントなどの充填材を案内する部位を確保する。従って、当該外向きフランジ部の縁部には、凹凸を形成するか、または当該フランジ部にその厚さ方向に貫通する開口を設けることが望ましい。
【００３４】
そして沈下防止部材１０の筒状部１１の内周面には、前記外向きフランジ部１２が設けられている端部側に、内側に突出する凸部１４を設けている。かかる凸部１４は、後述する筒状マス体４０または地下構造物用蓋３０の枠体３０Ｂを支持する為に機能し、よってこれ等の部材を支持できる幅で突出するように形成する。この凸部１４の内縁によって、前記地下構造物用蓋３０の枠体３０Ｂを挿通させるための孔部１６を形成している。特に本実施の形態では、当該凸部１４は内向きフランジとして形成しており、当該内向きフランジによって、地下構造物用蓋３０に作用する荷重を直接的または他の部材を介して間接的に支持することができる。また当該沈下防止部材１０の筒状部１１には、以下に示す筒状マス支持部材２０との一体化を実現する為のネジ乃至はボルトを挿通させるための孔部１５を設けている。
【００３５】
図２に示す様に、筒状マス支持部材２０は、筒状部２１と、その軸方向の一端側に設けた外側に突出する突出部２２とを備えており、当該筒状部２１の内側には、観測井などの地下構造物の収容空間を内部に区画する筒状マス体４０を挿通させる孔部２６を設けている。前記突出部２２は、前記沈下防止部材１０の筒状部１１に内挿可能な大きさに形成されており、また筒状部２１は地下構造物収容空間Ｓを内部に区画する筒状マス体４０に内挿可能な大きさに形成している。そして前記筒状部２１の内側に設けた孔部２６は、筒状部２１における前記突出部２２が設けられた端部側に形成した内向きフランジによって形成されており、当該内向きフランジ（突出部２２）と筒状部２１の間にはリブ２３を設けて強度を高めている。そして当該筒状マス支持部材２０の筒状部２１には、前記沈下防止部材１０の筒状部に形成した孔部１５と正対する位置に、両者を一体化する為のネジ乃至はボルトを挿通させるための孔部２５を設けている。
【００３６】
地下構造物用蓋３０は図３に示す蓋体３０Ａと、図４に示す枠体３０Ｂで構成されている。図３に示す様に、蓋体３０Ａは円盤形状であって、鍵穴３７を設けると共に、その周縁には一部を弧状に切り欠いた凹みとして形成した蓋側位置決め部３８ａを設けている。この蓋側位置決め部３８ａは、後述する枠体３０Ｂに設けた枠側位置決め部３８ｂと択一的かつ相補的に嵌合するように形成している。また図４に示す枠体３０Ｂは前記沈下防止部材１０の筒状部１１または筒状マス体４０に内挿される筒状部３１を備えており、当該筒状部３１の外周面は段状に外径を異ならせると共に、その内面には前記蓋体３０Ａを受容する段状の切り欠き部３４が形成されている。かかる段状の切り欠き部３４は、本実施の形態では内向きフランジによって形成されている。そしてこの筒状部３１には、前記した沈下防止部材１０との一体化を図るためのネジ乃至はボルトを挿通させるための孔部３５を設けている。
【００３７】
特に本実施の形態に示す地下構造物用蓋３０は、枠体３０Ｂに対して蓋体３０Ａを着脱自在に設置するように構成していることから、枠体３０Ｂ内に存在する鍵部と蓋体３０Ａの鍵穴３７との位置決めが困難となる。そこで本実施の形態にかかる地下構造物用蓋３０では、枠体３０Ｂに設けた枠側位置決め部３８ｂと蓋体３０Ａに設けた蓋側位置決め部３８ａとを位置合わせして組み合わせることにより、当該鍵穴３７の位置決めを果たすことができる。なお、この鍵穴３７の位置合わせについては、当該凹凸形状のみならず、位置決めの為のマーカーを設けることもでき、更に蓋体３０Ａの形状を上下左右非対称となる形状に形成し、前記枠体３０Ｂにおける蓋体３０Ａの設置個所を当該蓋体３０Ａが嵌合する形状に形成することもできる。
【００３８】
以上の様に形成した沈下防止部材１０と、筒状マス支持部材２０と、地下構造物用蓋３０とは、更に地下構造物収容空間Ｓを内部に区画する筒状マス体４０と組み合わせて、沈下防止ユニットを構成することができる。かかる沈下防止ユニットは、図５及び６に示す様に、地下構造物収容空間Ｓを設ける穴の大きさ、特に開口径に応じて組み合わせて設置する事ができる。
【００３９】
図５は観測井などの地下構造物収容空間Ｓを設ける為に地面に掘削した穴（以下「掘削穴」とする）の開口径が大きい場合、例えば掘削穴の開口径が１８０ｍｍ以上の場合に適した設置構成を示している。具体的には、図５（Ａ）（Ｃ）に示す様に、掘削穴の底面に沈下防止部材１０を設け、当該沈下防止部材１０の筒状部１１内に、筒状マス支持部材２０を設置する。そして沈下防止部材１０の筒状部１１と、筒状マス支持部材２０の筒状部２１との間に、地下構造物収容空間Ｓを区画する筒状マス体４０の下端側を差し込んで固定する。この筒状マス体４０の上端側には、地下構造物用蓋３０の枠体３０Ｂの小径側を挿入し、当該枠体３０Ｂには蓋体３０Ａを設置して地下構造物用蓋３０を設けている。そして当該掘削穴と沈下防止ユニットとの間に生じる隙間には、モルタルやセメントなどの充填材を流し込んで硬化させることにより、当該沈下防止ユニットを土中に固定することができる。
【００４０】
このように構成した沈下防止ユニットによれば、地下構造物用蓋３０に作用する荷重は、筒状マス体４０を介して筒状マス支持部材２０に支持され、この筒状マス支持部材２０を沈下防止部材１０によって支持することができる。そして当該沈下防止部材１０には、外向きフランジ部１２が設けられていることから、掘削穴底に作用する荷重を分散させることができ、よって車両の荷重などによる地下構造物用蓋３０の沈下を阻止することができる。
【００４１】
図６は掘削穴の底部の内径が、前記沈下防止部材１０の外径よりも小さい場合（１８０ｍｍ以下）における設置例を示している。即ち、この実施の形態にかかる沈下防止ユニットは、観測井などの地下構造物収容空間Ｓを設ける為に地面に掘削した掘削穴の底面に、筒状マス支持部材２０を設け、その筒状部２１に、筒状マス体４０の下端を外挿して固定する。その結果、当該筒状マス体４０は筒状マス支持部材２０によって支持され、その沈降を抑止することができる。この筒状マス体４０の上端側には、前記沈下防止部材１０を、その筒状部１１を外挿させて設け、当該沈下防止部材１０の筒状部１１内に、地下構造物用蓋３０の枠体３０Ｂの小径側を挿入し、当該枠体３０Ｂには蓋体３０Ａを設置して地下構造物用蓋３０を設けている。
【００４２】
この実施の形態において、前記沈下防止部材１０を設置する為に掘削穴の開口部側、即ち当該沈下防止部材１０の設置部位は、開口径を広げて掘削している。その結果、当該掘削穴の内壁面は上部開口側が拡径した形状となっている。そしてこの拡径部に沈下防止部材１０を設置した状態においては、当該沈下防止部材１０の外向きフランジ部１２を構成する各鍔片１２ａの間には、凹状の隙間１２ｂが出現し、当該凹状の隙間１２ｂからモルタルやセメントなどの充填材を充填、硬化させることで、当該沈下防止ユニットを地中に固定することができる。
【００４３】
このように設置した沈下防止ユニットによれば、地下構造物用蓋３０に作用する車両などの荷重は、沈下防止部材１０によって支持され、更に筒状マス体４０を介して筒状マス支持部材２０によって支持されることから、当該地下構造物用蓋３０の沈下を阻止することができる。
【００４４】
よって本実施の形態に係る沈下防止ユニットによれば、前記沈下防止部材１０の設置位置を変更する事によって、様々な内径の掘削穴に設置する事ができる。
【００４５】
図７は他の実施の形態に係る沈下防止部材１０を示しており、図７（Ａ）は当該沈下防止部材１０の外向きフランジ部１２をＶ字状に切り欠いて、これを凹部１２ｂとした実施形態となっている。かかる沈下防止部材１０によれば、凸部の面積を広くすることができる為、前記地下構造物用蓋３０の支持力を高めることができる。また図７（Ｂ）に示す実施形態では、当該沈下防止部材１０の外向きフランジ部１２に複数の開口部１２ｃを設けている。かかる開口部１２ｃは当該沈下防止部材１０におけるフランジ部１２の厚さ方向に貫通していることから、当該開口部１２ｃを介して、モルタルやセメントなどの充填材を掘削穴と沈下防止ユニットとの隙間に充填することができる。
【産業上の利用可能性】
【００４６】
本考案の地下構造物用蓋の沈下防止部材と、これを用いた地下構造物用蓋の沈下防止ユニットは、観測井を始めとする各種の井戸に使用することができ、その他にも地面に設置した地下構造物収容空間を閉塞する為の地下構造物用蓋の沈下を阻止する為の部材として使用することができる。
【符号の説明】
【００４７】
１０：沈下防止部材、１１：筒状部、１２：外向きフランジ部、１２ａ：鍔片、１２ｂ：凹部（隙間）、１２ｃ：開口部、１３：リブ、１４：凸部、１５：孔部、１６：孔部、２０：筒状マス支持部材、２１：筒状部、２２：突出部（内向きフランジ）、２３：リブ、２５：孔部、２６：孔部、３０：地下構造物用蓋、３０Ａ：地下構造物用蓋の蓋体、３０Ｂ：地下構造物用蓋の枠体、３１：筒状部、３４：切り欠き部、３５：孔部、３７：鍵穴、３８ａ：蓋側位置決め部、３８ｂ：枠側位置決め部、Ｓ：地下構造物収容空間
【図１】
0003235323.tif 000003
【図２】
0003235323.tif 000004
【図３】
0003235323.tif 000005
【図４】
0003235323.tif 000006
【図５】
0003235323.tif 000007
【図６】
0003235323.tif 000008
【図７】
0003235323.tif 000009